(57)【特許請求の範囲】
【請求項１】
斜面に斜面縦方向をなす主脈排水路が設置され、
前記主脈排水路に対して斜面横方向から下り勾配をなす態様で当該主脈排水路に接続される複数の側脈パイプが、少なくとも一部が地表面より突出する態様で斜面上方側から流下する土砂を受け止めて堆積可能に設置され、
外周面に複数の集水孔を有する複数の集水パイプが斜面から地盤内へ水平もしくは若干上向きに挿入されて、前記各側脈パイプに当該側脈パイプ内に貫入する態様で前記集水パイプの地表面側の端部が接続されており、
前記側脈パイプは、その径方向の斜面上方側に、地表面に開口して斜面上方から流下する水を集水することが可能な表面水集水口を備えていることを特徴とする斜面地盤の排水構造。
【請求項２】
前記集水パイプの側脈パイプとの接続部に支圧板が取り付けられていることを特徴とする請求項１記載の斜面地盤の排水構造。
【請求項３】
前記側脈パイプは、その断面の一部が土中に埋まる態様で設置されていることを特徴とする請求項１又は２に記載の斜面地盤の排水構造。
【請求項４】
前記表面水集水口は、側脈パイプにあけた孔に短尺管が取り付けられていることを特徴とする請求項１〜３のいずれか1項に記載の斜面地盤の排水構造。
【請求項５】
前記側脈パイプの径方向の斜面下方側に隣接して、側脈パイプが斜面下方側に移動することを防止するための杭が打設されていることを特徴とする請求項１〜４のいずれか１項に記載の斜面地盤の排水構造。
【請求項６】
前記側脈パイプの上に間伐材等の棒状部材が１段ないし複数段重ねられていることを特徴とする請求項１〜５のいずれか1項に記載の斜面地盤の排水構造。
【請求項７】
前記側脈パイプは、前記集水パイプの地表面側の端部が接続される接続孔をあけた地面側半体とその反対側の外側半体とに分割された二つ割構造であることを特徴とする請求項１〜６のいずれか１項に記載の斜面地盤の排水構造。
【請求項８】
斜面に斜面縦方向をなす主脈排水路が設置され、前記主脈排水路に対して斜面横方向から下り勾配をなす態様で当該主脈排水路に接続される側脈パイプが、少なくとも一部が地表面より露出する態様で設置され、外周面に複数の集水孔を有する集水パイプが斜面から地盤内へ水平もしくは若干上向きに挿入されて、前記側脈パイプに前記集水パイプの地表面側の端部が接続されており、前記側脈パイプは、その径方向の斜面上方側に、地表面に開口して斜面上方から流下する水を集水することが可能な表面水集水口を備えた斜面地盤の排水構造を施工する斜面地盤の排水構造施工方法であって、
側脈パイプ及び集水パイプを設置するに際して、各側脈パイプに、それぞれの側脈パイプに接続すべき各集水パイプに対応する集水パイプ接続用の接続孔をあけておき、
各側脈パイプ毎に、それぞれの側脈パイプに接続されるべき各集水パイプを、予め設定した挿入位置において地盤に挿入し、
次いで、側脈パイプの各接続孔に、地盤に挿入した各集水パイプの地表面側の端部がそれぞれ入るようにして、各側脈パイプを斜面上に設置して、集水パイプの地表面側の端部を側脈パイプに接続することを特徴とする斜面地盤の排水構造の施工方法。
【請求項９】
斜面に斜面縦方向をなす主脈排水路が設置され、前記主脈排水路に対して斜面横方向から下り勾配をなす態様で当該主脈排水路に接続される側脈パイプが、少なくとも一部が地表面より露出する態様で設置され、外周面に複数の集水孔を有する集水パイプが斜面から地盤内へ水平もしくは若干上向きに挿入されて、前記側脈パイプに前記集水パイプの地表面側の端部が接続されており、前記側脈パイプは、その径方向の斜面上方側に、地表面に開口して斜面上方から流下する水を集水することが可能な表面水集水口を備え、かつ前記側脈パイプが、前記集水パイプの地表面側の端部が接続される接続孔をあけた地面側半体とその反対側の外側半体とに分割された二つ割構造である斜面地盤の排水構造を施工する際の斜面地盤の排水構造施工方法であって、
側脈パイプ及び集水パイプを設置するに際して、二つ割構造である各側脈パイプの地面側半体に、それぞれの側脈パイプに接続すべき各集水パイプに対応する集水パイプ接続用の接続孔をあけておき、
各側脈パイプ毎に、それぞれの側脈パイプに接続されるべき各集水パイプを、予め設定した挿入位置において地盤に挿入し、
次いで、側脈パイプの前記地面側半体の各接続孔に、地盤に挿入した各集水パイプの地表面側の端部がそれぞれ入るようにして、各側脈パイプの地面側半体を斜面上に設置し、
次いで、各側脈パイプの外側半体を前記地面側半体に被せ接合して一体化することを特徴とする斜面地盤の排水構造施工方法。
【発明の詳細な説明】
【技術分野】
【０００１】
この発明は、盛土や切土等における斜面が水の作用を原因として崩壊することを防止するための斜面地盤の排水構造、及びその施工方法に関する。
【背景技術】
【０００２】
盛土や切土等による斜面に降った雨は、流下する際に斜面を侵食する。また、降雨等により土中に浸透した浸透水が斜面崩壊の原因となる場合がきわめて多い。
そのようなことから、従来より盛土や切土等の斜面では、表面水を排除する地表面排水工が施工されることが多く（特許文献１等参照）、また、土中に浸透した浸透水を集めて排水する地下水排水工が施工されることも多い（特許文献２等参照）。
【０００３】
特許文献１は、法面表層から集積された雨水を斜面下方に流下させる縦方向の斜面排水構造であるが、盛土や切土して築造した道路の側方の斜面において、斜面上部あるいは斜面途中に設けた集水ますに集積された雨水を下方集水ますに排水することを想定している。
【０００４】
特許文献２は、多数の水抜き孔を設けた複数の排水パイプを、略水平かあるいは外部（斜面）に露出する外端部が若干下向きになるように傾斜させて斜面に打ち込む工法であり、土中の浸透水を排水パイプの水抜き穴からパイプ内に取り込み、外部（斜面）に露出する外端部から排水することにより、水を原因とする斜面の崩落を防止する。
【先行技術文献】
【特許文献】
【０００５】
【特許文献１】特開２００３−３１３８７５
【特許文献２】特開２００３−１５５７３７
【発明の概要】
【発明が解決しようとする課題】
【０００６】
特許文献１を参照して述べたような、斜面の縦方向の斜面排水構造すなわち縦排水溝だけでは、斜面の広い範囲の降雨を排除できない。したがって、排除されなかった雨水は地盤内に浸透し蓄積され、その蓄積された浸透水は斜面崩壊の原因となる。
但し、斜面に横方向の溝いわゆる小段排水溝を設け、これを縦排水溝に接続して、斜面の広い範囲の降雨を排除する工法は知られている。しかし、縦排水溝と小段排水溝とによる斜面排水構造は、斜面の侵食防止に有効であり、また、土中への雨水浸透を減少させることができるが、土中の浸透水を排除することはできない。したがって、排除されなかった雨水は地盤内に浸透し蓄積され、その蓄積された浸透水は斜面崩壊の原因となる。
【０００７】
特許文献２を参照して述べたような、斜面に水抜き孔付きの複数の排水パイプを打ち込む工法は、それだけでは土中の浸透水の排除手段として不十分である。すなわち、土中の浸透水を排水パイプで取り込んで外部すなわち斜面に排出させても、斜面に排出させた水が斜面を浸食する。また、斜面の浸食を防止するために斜面を吹付けコンクリート等で覆ってしまえば、斜面の植生を行なうことができない。
【０００８】
上述の縦排水溝を設置する工法と水抜き孔付きの排水パイプを打設する工法との両工法を施工することも考えられるが、単にその２つの工法を同一斜面において施工しても、施工性や施工コストや排水性能などの種々の点で、必ずしも有効で実用的な施工方法とは言い難いものとなる。
【０００９】
本発明は上記背景のもとになされたもので、主として盛土や切土等による斜面を対象として、表面水及び浸透水の両者を有効に排除できるとともに、施工性や施工コストや排水性能などの種々の点で優れた斜面地盤の排水構造を提供することを目的とする。
【課題を解決するための手段】
【００１０】
上記課題を解決する請求項１の発明の斜面地盤の排水構造は、
斜面に斜面縦方向をなす主脈排水路が設置され、
前記主脈排水路に対して斜面横方向から下り勾配をなす態様で当該主脈排水路に接続される複数の側脈パイプが、少なくとも一部が地表面より突出する態様で斜面上方側から流下する土砂を受け止めて堆積可能に設置され、
外周面に複数の集水孔を有する複数の集水パイプが斜面から地盤内へ水平もしくは若干上向きに挿入されて、前記の各側脈パイプに当該側脈パイプ内に貫入する態様で前記集水パイプの地表面側の端部が接続されており、
前記側脈パイプは、その径方向の斜面上方側に、地表面に開口して斜面上方から流下する水を集水することが可能な表面水集水口を備えていることを特徴とする。
【００１１】
上記において、“土砂を受け止めて堆積可能”とは、側脈パイプの少なくとも一部が地表面から突出して高さが確保されることだけでなく、側脈パイプが例えば杭等により斜面下方に移動しないようにされていることも含む。
【００１２】
請求項２は、請求項１の斜面地盤の排水構造において、前記集水パイプの側脈パイプとの接続部に支圧板が取り付けられていることを特徴とする。
【００１３】
請求項３は、請求項１又は２の斜面地盤の排水構造において、前記側脈パイプは、その断面の一部が土中に埋まる態様で設置されていることを特徴とする。
【００１４】
請求項４は、請求項１〜３のいずれか１項の斜面地盤の排水構造において、前記表面水集水口は、側脈パイプにあけた孔に短尺管が取り付けられていることを特徴とする。
【００１５】
請求項５は、請求項１〜４のいずれか１項の斜面地盤の排水構造において、前記側脈パイプの径方向の斜面下方側に隣接して、側脈パイプが斜面下方側に移動することを防止するための杭が打設されていることを特徴とする。
【００１６】
請求項６は、請求項１〜５のいずれか１項の斜面地盤の排水構造において、前記側脈パイプの上に間伐材等の棒状部材が１段ないし複数段重ねられていることを特徴とする。
【００１７】
請求項７は、請求項１〜６のいずれか１項の斜面地盤の排水構造において、前記側脈パイプは、前記集水パイプの地表面側の端部が接続される接続孔をあけた地面側半体とその反対側の外側半体とに分割された二つ割構造であることを特徴とする。
【００１８】
請求項８の発明は、斜面に斜面縦方向をなす主脈排水路が設置され、前記主脈排水路に対して斜面横方向から下り勾配をなす態様で当該主脈排水路に接続される側脈パイプが、少なくとも一部が地表面より露出する態様で設置され、外周面に複数の集水孔を有する集水パイプが斜面から地盤内へ水平もしくは若干上向きに挿入されて、前記側脈パイプに前記集水パイプの地表面側の端部が接続されており、前記側脈パイプは、その径方向の斜面上方側に、地表面に開口して斜面上方から流下する水を集水することが可能な表面水集水口を備えた斜面地盤の排水構造を施工する斜面地盤の排水構造施工方法であって、
側脈パイプ及び集水パイプを設置するに際して、各側脈パイプに、それぞれの側脈パイプに接続すべき各集水パイプに対応する集水パイプ接続用の接続孔をあけておき、
各側脈パイプ毎に、それぞれの側脈パイプに接続されるべき各集水パイプを、予め設定した挿入位置において地盤に挿入し、
次いで、側脈パイプの各接続孔に、地盤に挿入した各集水パイプの地表面側の端部がそれぞれ入るようにして、各側脈パイプを斜面上に設置して、集水パイプの地表面側の端部を側脈パイプに接続することを特徴とする。
【００１９】
請求項９の発明は、斜面に斜面縦方向をなす主脈排水路が設置され、前記主脈排水路に対して斜面横方向から下り勾配をなす態様で当該主脈排水路に接続される側脈パイプが、少なくとも一部が地表面より露出する態様で設置され、外周面に複数の集水孔を有する集水パイプが斜面から地盤内へ水平もしくは若干上向きに挿入されて、前記側脈パイプに前記集水パイプの地表面側の端部が接続されており、前記側脈パイプは、その径方向の斜面上方側に、地表面に開口して斜面上方から流下する水を集水することが可能な表面水集水口を備え、かつ前記側脈パイプが、前記集水パイプの地表面側の端部が接続される接続孔をあけた地面側半体とその反対側の外側半体とに分割された二つ割構造である斜面地盤の排水構造を施工する際の斜面地盤の排水構造施工方法であって、
側脈パイプ及び集水パイプを設置するに際して、二つ割構造である各側脈パイプの地面側半体に、それぞれの側脈パイプに接続すべき各集水パイプに対応する集水パイプ接続用の接続孔をあけておき、
各側脈パイプ毎に、それぞれの側脈パイプに接続されるべき各集水パイプを、予め設定した挿入位置において地盤に挿入し、
次いで、側脈パイプの前記地面側半体の各接続孔に、地盤に挿入した各集水パイプの地表面側の端部がそれぞれ入るようにして、各側脈パイプの地面側半体を斜面上に設置し、
次いで、各側脈パイプの外側半体を前記地面側半体に被せ接合して一体化することを特徴とする。
【発明の効果】
【００２０】
本発明において斜面に降った雨は、斜面を流下して、少なくとも一部が地表面から突出する態様で設置された側脈パイプの表面水集水口から側脈パイプ内に入り、側脈パイプ内を流れて斜面縦方向をなす主脈排水路に流入し、主脈排水路内を流下して、例えば斜面下部に設けた排水路等に排水される。
したがって、降雨時の表面水による斜面の侵食を有効に防止することができる。また、降雨時に地盤内部に浸透する雨水が少なくなるので、斜面崩壊の原因となる浸透水の量を少なくすることができる。
【００２１】
また、斜面地盤に浸透した雨水等の地盤中の浸透水は、各側脈パイプにそれぞれ複数本接続されて広範囲をカバーする集水パイプの集水孔から集水パイプ内に取り込まれ、水平もしくは若干の下り勾配で側脈パイプに向かう集水パイプに沿って流れて側脈パイプに入り、下り勾配の側脈パイプ内を流れて主脈排水路に流入し、前記と同様に主脈排水路内を流下して、斜面下部の排水路等に排水される。
このように、地盤内の浸透水は集水パイプにより集水されるが、その水が地表面に排水されるのではなく、側脈パイプ及び主脈排水路を介して斜面下部に排水されるので、集水パイプから集めた水を単に斜面表層に流して、再び地盤内に浸透してしまうことはなく、また斜面を侵食することはない。
【００２２】
上記の通り、本発明によれば、斜面地盤の表面水及び浸透水の両者を有効に排除することができる。
そして、斜面地盤の浸透水の斜面下部への排水が、表面水集水手段と共通の側脈パイプ及び主脈排水路を利用して行なわれるので、極めて効率的で施工性が良好であり、低コストの施工が可能となる。このように本発明は、斜面地盤の表面水を排水する地表面排水工と、地盤内部の浸透水を排除する地下水排除工とを種々の面で効果的に複合させたものである。
また、斜面を覆うのは主脈排水路と側脈パイプのみであり、それらで覆われる面積は狭いので、斜面に十分な植生を行なうことができる。
【００２３】
斜面地盤に挿入された集水パイプは、鉄筋挿入補強土工法における鉄筋と同様な作用をして斜面地盤を補強する作用をするが、請求項２のように集水パイプの側脈パイプとの接続部に支圧板を取り付けた場合には、支圧板の支圧力で集水パイプの曲げ・引き抜き抵抗をより効果的に発揮させ、地盤表層の小規模な崩壊を一層有効に防止できる。
【００２４】
また、本発明によれば、斜面に降った雨は、斜面を流下して、少なくとも一部が地表面から突出している側脈パイプの地上突出部で遮られ、側脈パイプの表面水集水口に直接達して、もしくは下り勾配である側脈パイプに沿って流れてから側脈パイプの表面水集水口に達して表面水集水口から側脈パイプ内に入り、前記と同様にして、例えば斜面下部に設けた排水路等に排水される。
また、施工後には、降雨その他の原因で斜面を流下する土砂は、地表面から突出している側脈パイプで遮られて側脈パイプの斜面上方側部分に堆積するが、そこに堆積した堆積土砂は、通常は腐葉土や落ち葉等も含んでいることも相俟って固く締まっておらず、隙間の多い柔らかい土砂である。したがって、降雨時に斜面を流下して前記堆積土砂に達した雨水は容易に堆積土砂の下部（底部分）まで浸透し、側脈パイプの表面水集水口から側脈パイプ内に入る。柔らかい堆積土砂は、斜面に降った雨水を効率よく集める上で好適であり、高い表面水集水性能を極めて安価に実現できる。
また、施工後に側脈パイプの斜面上方側部分に堆積した堆積土砂は、通常は腐葉土や落ち葉等も含んだ柔らかい土砂なので、その堆積土砂部分は特に植生に好適である。
【００２５】
請求項３のように、側脈パイプをその断面の一部（例えば半円形部分）が土中に埋まる態様で設置すると、特に主脈排水路が溝状である場合に、側脈パイプの土砂を堆積させる機能を損なわずに、内部の水を溝状の主脈排水路に円滑に流入させることができ、また、溝状の主脈排水路との接続構造を単純化し接続作業を容易なものとすることができる。
また、一部が土中に埋まっていることで、側脈パイプが斜面下方側に移動することに対して抵抗する作用を奏するので、斜面の勾配が緩やかな場合には、側脈パイプが斜面下方側に移動することを防止する手段を省略することが可能である。
【００２６】
請求項５のように、側脈パイプが斜面下方側に移動することを防止するための杭を打設すると、特に斜面勾配が急な場合に、側脈パイプが斜面下方側に移動することを確実に防止できる。
【００２７】
請求項６のように側脈パイプの上に間伐材等の棒状部材を重ねて高くすると、斜面上方側から流下する土砂を堆積させる堆積量を多くすることができ、表面水を集水する集水機能を向上させることができる。
棒状部材を重ねる場合には、請求項５のように杭を打設することが特に有効である。
【００２８】
請求項７のように、側脈パイプを地面側半体とその反対側の外側半体とに分割された二つ割構造にすると、搬送や保管に際して各半体を重ねることができ嵩張らないので、搬送や保管が容易である。
また、側脈パイプ及び集水パイプを設置する際に、請求項９のように、予め集水パイプを地盤に挿入した後に、集水パイプの端部を側脈パイプに接続しかつ固定することができる。その固定作業に際しては半円状の地面側半体だけであり、集水パイプを固定する部分が開放されているので、簡単な固定手段で固定することができ、施工性が良好である。
【図面の簡単な説明】
【００２９】
【図１】本発明の一実施例の斜面地盤の排水構造を施工した斜面の模式的な平面図である。
【図２】（イ）は図１のＡ−Ａ拡大断面図、（ロ）は（イ）のＢ−Ｂ断面図である。
【図３】図１のＣ−Ｃ断面の詳細構造を拡大して示したＣ−Ｃ拡大断面図である。
【図４】図３の平面図である。
【図５】斜面の勾配は緩やかな場合についての実施例を示すもので、図３に相当する図である。
【図６】側脈パイプが地面側半体と外側半体との二つ割構造の場合の実施例を示すもので、図３に相当する図である。
【図７】側脈パイプが二つ割構造の場合について、側脈パイプを単に斜面の地表面に置いて設置する場合の実施例を示すもので、図３に相当する図である。
【図８】主脈排水路及び側脈パイプの配置の種々のパターンを模式的に示した図であり、（イ）は図１で説明したパターンのもの、（ロ）〜（ヘ）はそれぞれ異なる配置パターンを示す。
【発明を実施するための形態】
【００３０】
以下、本発明を実施した斜面地盤の排水構造、及びその施工方法について、図面を参照して説明する。
【実施例１】
【００３１】
図１は本発明の一実施例の斜面地盤の排水構造を施工した斜面の模式的な平面図、図２（イ）は図１のＡ−Ａ拡大断面図、（ロ）は（イ）のＢ−Ｂ断面図、図３は図１のＣ−Ｃ断面の詳細構造を拡大して示したＣ−Ｃ拡大断面図、図４は図３の平面図である。
これらの図において、符号１は例えば盛土や切土等の斜面地盤を示す。斜面地盤１の地表面１ａに斜面縦方向（図１で上下方向）をなす例えばＵ字状の主脈排水溝（主脈排水路）２を設置し、前記主脈排水溝２に対して斜面横方向（図１で横方向）から下り勾配をなす態様で当該主脈排水溝２に接続される側脈パイプ３を設置している。
主脈排水溝２の斜面下部は、例えば図示略の排水路等に接続されている。
【００３２】
前記側脈パイプ３は、図３に示すように約半分（概ね半円部分）が地中に埋まるように設置されており、その主脈排水溝２側の端部は、図２に示すように主脈排水溝２に形成した半円形切欠き部２ａに嵌合する態様で主脈排水溝２に接続されている。
【００３３】
前記側脈パイプ３に、地盤内に挿入された集水パイプ４の地表面側の端部が接続されている。集水パイプ４は地盤内の浸透水を取り込んで側脈パイプ３に送り出すためのもので、外周面に多数の集水孔４ａを持つ。集水孔４ａは集水パイプ４の断面の下端近傍には設けずに、頂部近傍及び側面部分に設けるとよい。
集水パイプ４は図示例では斜面（地表面）から地盤内に水平より若干上向きに打設されており、側脈パイプ３に向かう勾配としては若干の下り勾配にて側脈パイプ３に接続されている。但し、水平に接続してもよい。
側脈パイプ３と集水パイプ４との接続部は、側脈パイプ３にあけた孔３ａに集水パイプ４の端部を挿入し、模式的に示した固定手段５により、集水パイプ４の端部を側脈パイプ３に固定した構成である。
【００３４】
集水パイプ４の側脈パイプ３との接続部に支圧板６が取り付けられている。
この実施例では、斜面の側脈パイプ３を配置する部分を掘削して２点鎖線で示すような凹所（紙面と直交する方向に延びる凹溝）７を形成し、この凹所７において集水パイプ４を地盤に挿入し、支圧板６をその中心孔６ａに集水パイプ４の端部が通されるようにして凹所７内に配置し、次いで側脈パイプ３をその接続孔３ａに集水パイプ４の端部が通されるようにして凹所７内に設置し、集水パイプ４の端部を、模式的に示した前記固定手段５により側脈パイプ３に固定する。その後凹所７に土砂を埋め戻す。
【００３５】
前記側脈パイプ３には、その径方向の斜面上方側に、地表面１ａに開口して斜面上方から流下する水を集水することが可能な複数の表面水集口８ａが設けられている。図示例の表面水集水口８ａは、側脈パイプ３にあけた孔３ｂに例えばゴムや金属やプラスチック製のソケット（短尺管）８を取り付けて形成している。
また、側脈パイプ３の上に、例えば間伐材などによる棒状部材１１を２段に重ねている。
また、側脈パイプ３の径方向の斜面下方側に、側脈パイプ３が斜面下方側に移動することを防止するための杭１２を打設している。この例では杭１２は側脈パイプ３及び棒状部材１１が下方に移動するのを防止している。なお、図示は省略するが、棒状部材１１はワイヤ等で杭１２に縛り付けて固定するとよい。
側脈パイプ３は図示例ではその半分が地表面１ａから突出しているので、施工後に降雨その他の原因で斜面上方側から流下する土砂を受け止めて堆積可能である。そして、さらに２段に重ねた棒状部材１１により高さが十分高くなっており、土砂の堆積量（堆積深さ）を稼ぐことができる。図３に記載した２点鎖線ｓは、施工後に堆積するであろう堆積土砂を示す。
【００３６】
上記の排水構造を施工した斜面において、降雨時には雨水が斜面を流下して、側脈パイプ３の地上突出部で遮られ、側脈パイプ３のソケット８（表面水集水口８ａ）に直接達して、もしくは下り勾配である側脈パイプ３に沿って流れてからソケット８に達して表面水集水口８ａから側脈パイプ３内に入り、側脈パイプ３内を流れて斜面縦方向をなす主脈排水溝２に流入し、主脈排水溝２内を流下して、例えば斜面下部に設けた排水路等に排水される。
したがって、降雨時の表面水による斜面の侵食を有効に防止することができる。また、降雨時に地盤内部に浸透する雨水が少なくなるので、斜面崩壊の原因となる浸透水の量を少なくすることができる。
また、施工後には、降雨その他の原因で斜面を流下する土砂は、側脈パイプ３で遮られて側脈パイプ３の斜面上方側部分に堆積するが、そこに堆積した堆積土砂ｓは、通常は腐葉土や落ち葉等も含んでいることも相俟って固く締まっておらず、隙間の多い柔らかい土砂である。したがって、降雨時に斜面を流下して前記堆積土砂ｓに達した雨水は容易に堆積土砂の下部（底部分）まで浸透し、側脈パイプ３のソケット８から側脈パイプ内に入る。柔らかい堆積土砂は、斜面に降った雨水を効率よく集める上で好適であり、高い表面水集水性能を極めて安価に実現できる。
【００３７】
また、斜面地盤に浸透した雨水等の地盤中の浸透水は、集水パイプ４の集水孔４ａから集水パイプ４内に取り込まれ、図示例では下り勾配である集水パイプ４に沿って流れて側脈パイプ３に入り、下り勾配の側脈パイプ３内を流れて主脈排水溝２に流入し、前記と同様に主脈排水路溝２内を流下して、斜面下部の排水路等に排水される。
このように、地盤内の浸透水は集水パイプ４により集水されるが、その水が地表面に排水されるのではなく、側脈パイプ３及び主脈排水溝２を介して斜面下部に排水されるので、斜面を侵食することはない。
【００３８】
この排水構造によれば上記の通り、斜面地盤の表面水及び浸透水の両者を有効に排除することができる。
そして、斜面地盤の浸透水の斜面下部への排水が、表面水集水手段と共通の側脈パイプ３及び主脈排水路２を利用して行なわれるので、極めて効率的で施工性が良好であり、低コストの施工が可能となる。このように、この排水構造は、斜面地盤の表面水を排水する地表面排水工と、地盤内部の浸透水を排除する地下水排除工とを種々の面で効果的に複合させたものである。
また、斜面を覆うのは主脈排水溝２と側脈パイプ３のみであり、それらで覆われる面積は狭いので、斜面に十分な植生を行なうことができる。また、施工後に側脈パイプ３の斜面上方側部分に堆積した堆積土砂ｓは、通常は腐葉土や落ち葉等も含んだ柔らかい土砂なので、その堆積土砂部分は特に植生に好適である。
【００３９】
また、斜面地盤に挿入された集水パイプ４は、鉄筋挿入補強土工法における鉄筋と同様な作用をして斜面地盤を補強する作用をするが、集水パイプ４の側脈パイプ３との接続部に支圧板６を取り付けているので、表層のすべりにより集水パイプ４に引抜力が働いた際に、支圧板６の支圧力で集水パイプ４の曲げ・引き抜き抵抗をより効果的に発揮させることができ、地盤表層の小規模な崩壊を一層有効に防止できる。
なお、集水パイプ４の端部を側脈パイプ３に前記固定手段５により固定したことで、側脈パイプ３自体に支圧板と同様な作用をさせることができる。
【００４０】
また、実施例では、側脈パイプ３の上に棒状部材１１を２段に重ねて高さを高くしているので、斜面上方側から流下する土砂を堆積させる堆積量を多くすることができ、表面水を集水する集水機能を向上させることができる。
但し、側脈パイプ３は約半分（半円形部分）が土中に埋まる態様で設置されており、土砂を堆積させるためのある程度の高さを有しているので、棒状部材１１を重ねなくても表面水を集水する集水機能を奏することができる。
また、側脈パイプ３の約半分（半円形部分）が土中に埋まっている態様であると、図２（ロ）に示したように、側脈パイプ３の端部が主脈排水溝２の半円形切欠き２ａに嵌合した態様で主脈排水溝２に接続することができ、側脈パイプ３内の水を主脈排水溝２に円滑に流入させる上で適切である。また、側脈パイプ３を単に半円形切欠き２ａに嵌合させるだけでも主脈排水溝２に安定して接続することができ、主脈排水溝２との接続構造を単純化し接続作業を容易なものとすることができる。
【実施例２】
【００４１】
図５は斜面の勾配が緩やかな場合の実施例を示す。
この実施例では、勾配が緩やかなので土砂の流下は少ないし、また、高く堆積することも少ないので、側脈パイプ３の上に間伐材などの棒状部材を重ねることはしていない。また、側脈パイプ３の斜面下方側への移動を防止する杭も設けていない。また、集水パイプ４の端部を側脈パイプ３に固定する固定手段も設けていない。また、支圧板も設けていない。その他の構成は図３の実施例と概ね共通であり、共通する部分には同じ符号を付して、再度の説明は省略する。
【００４２】
斜面の勾配が十分緩やかな場合は、側脈パイプ３に作用する力の斜面下方向の成分は小さいので、側脈パイプ３の約半分（半円形部分）が土中に埋まっているだけで、側脈パイプ３が斜面下方側に移動することに対して十分な抵抗となり、側脈パイプが斜面下方側に移動することを防止する杭などを省略可能である。
また、図示例では、集水パイプ４の端部を側脈パイプ３にあけた孔に挿入しているだけで、側脈パイプ３に固定していないが、状況によってはこのように固定手段を省略することも可能である。
但し、集水パイプ４の端部を側脈パイプ３に固定することで、側脈パイプ３自体に支圧板と同様な作用をさせることができ、また、側脈パイプ３の斜面下方側への移動を防止する作用をさせることもできる。
【実施例３】
【００４３】
図６に示した斜面地盤の排水構造は、側脈パイプ２３が、集水パイプ４の地表面側の端部が接続される接続孔２３ａをあけた地面側半体２３Ａとその反対側の外側半体２３Ｂとに分割された二つ割構造である。図示例の側脈パイプ２３は、地面側半体２３Ａ及び外側半体２３Ｂがいずれも、半円形断面の両端にフランジ２３ｃを有する断面形状であり、両者のフランジ２３ｃを対向させフランジ同士をボルトで接合すると、円形断面の側脈パイプ２３となる。
この場合、側脈パイプ２３の下側半分である地面側半体２３Ａがちょうど地面に埋まる態様で、すなわち、地面側半体２３Ａの両端のフランジ２３ｃが地表面に位置する態様で設置される。そして、端部開口が表面水集水口８ａとなるソケット８は外側半体２３Ｂに取り付けている。
【００４４】
この側脈パイプ２３を用いて斜面地盤の排水構造を施工する場合の概略の施工手順の一例を説明する。
斜面に主脈排水溝２、側脈パイプ３、及び集水パイプ４を設置する位置を、予め設定する。
設定した主脈排水溝２の位置に沿って縦方向の溝を掘削し、設定した各側脈パイプ３の位置に沿ってそれぞれ凹所７を溝状に掘削する。
設置すべき各側脈パイプ２３毎に、それぞれの側脈パイプ２３に接続されるべき各集水パイプ４を、予め設定した挿入位置において地盤に挿入する。
次いで、支圧板６を、その中心孔６ａに集水パイプ４の端部を通して凹所７の底面（ないし壁面）に置く。
次いで、側脈パイプ２３の地面側半体２３Ａの各接続孔２３ａに、地盤に挿入した各集水パイプ４の地表面側の端部がそれぞれ入るようにして、地面側半体２３Ａを斜面上に設置する。
次いで、集水パイプ４の端部を地面側半体２３Ａに固定する。図示例では、集水パイプ４の端部外面に形成したネジ部に、例えば下面が側脈パイプ内面に沿う形状のワッシャ２４を介在させてナット２５を螺合させ締め付けて固定している。
次いで、ソケット８を孔２３ｂに取り付けた外側半体２３Ｂを地面側半体２３Ａに被せフランジ２３ｃ同士をボルトで接合して、円形断面の側脈パイプ２３とする。その後凹所７に土砂を埋め戻す。
次いで、側脈パイプ２３の斜面下方側に添わせて杭１２を打設する。
次いで、主脈排水溝２を先に掘削した縦溝に設置する。
次いで、側脈パイプ２３の主脈排水溝２側の端部を主脈排水溝２と接続する。
なお、側脈パイプ２３は、図１に示したように長さの短い短側脈パイプ２３’を複数本連結して施工するが、上述の説明の場合は、主脈排水溝２に直接接続される端部の、集水パイプ４を接続していない短側脈パイプ２３”は、主脈排水溝２を設置した後に、主脈排水溝２の円形切欠き２ａに端部を載せる態様で接続するとともに、隣接する短側脈パイプ２３’と連結する。端部の短側脈パイプ２３”は他の短側脈パイプ２３’よりさらに短くしているので、集水パイプ４のない領域は狭く、特に問題ない。
上記の手順は１つの例であり、適宜順序を変えることが可能である。例えば、主脈排水溝２は最初に設置してもよい。
【００４５】
上記のように、側脈パイプを地面側半体２３Ａとその反対側の外側半体２３Ｂとに分割された二つ割構造にすると、搬送や保管に際して各半体を重ねることができ嵩張らないので、搬送や保管が容易である。
上述の通り、側脈パイプ２３及び集水パイプ４を設置する際に、予め集水パイプ４を地盤に挿入した後に、集水パイプ４の端部を側脈パイプ２３に接続しかつ固定することができる。その固定作業に際しては半円状の地面側半体２３Ａだけであり、集水パイプ４を固定する部分が開放されているので、ワッシャ２４とナット２５等による簡単な固定手段で固定することができ、施工性が良好である。
【実施例４】
【００４６】
図７に示した斜面地盤の排水構造は、側脈パイプ２３をその一部を土中に埋め込むことなく斜面に設置した場合のものである。図示例の側脈パイプ２３は図６における側脈パイプ２３と同じく、地面側半体２３Ａと外側半体２３Ｂとの二つ割構造である。
その他の点は図６の実施例と概ね同様であるが、この場合はソケット８を外側半体２３Ｂに取り付ける。また、支圧板６は斜面地盤１の地表面１ａに直接置くが、支圧板６と側脈パイプ２３との間の生じる三角形状の隙間に三角形断面のスペーサ３０を介在させる。そして、集水パイプ４の端部は、図６と同様に、その外周面のネジ部にワッシャ２４を介在させてナット２５を螺合させ締め付けて固定している。
その他の点は図６の実施例と概ね同じである。
【００４７】
この実施例では、側脈パイプ２３が地表面に置かれているので、地上突出高さは高い。したがって、施工後に側脈パイプ３の斜面上方側に堆積可能な土砂の量を多くできる。
この場合は、側脈パイプ２３の上に重ねる棒状部材１１は、図示例では２段であるが、１段にしたり、あるいは省略することも可能である。
【実施例５】
【００４８】
図８は主脈排水溝２及び側脈パイプ３の配置の種々のパターンを模式的に示した図であり、（イ）は図１で説明したパターンのもの、（ロ）〜（ヘ）はそれぞれ異なる配置パターンを示す。図８では側脈パイプに符号３を付したが、図６、図７の側脈パイプ２３も含む。
（ロ）は主脈排水溝２に対してその片側に１本の側脈パイプ３を設置した最も単純なパターンであり、このパターンが基本である。
（ハ）は主脈排水溝２に対してその片側に２本の側脈パイプ３を設置したパタンーンである。
（ニ）は主脈排水溝２に対してその両側にそれぞれ２本の側脈パイプ３を設置したパタンーンである。
（ホ）は主脈排水溝２の１箇所に異なる勾配で接続される２本の側脈パイプ３を、主脈排水溝２の両側にそれぞれ設置したパタンーンである。
（ヘ）は（ニ）のパターンにおける各側脈パイプ３に、斜面下方に向かう枝側脈パイプ３’を接続したパタンーンである。枝側脈パイプ３’には同じく、地盤に挿入した集水パイプ４を接続する。
【００４９】
上述の各実施例では側脈パイプ３の半分又は全部が地表面１ａから突出しているが、表面  水集水口８ａが斜面を流下する雨水を取り込むことができる程度に露出しているだけとしてもよい。また、表面水集水口８ａを孔３ｂとして、又は表面水集水口８ａをソケット８とする場合のいずれの場合であっても、土砂等が流入し目詰まりすることがないように、孔３ｂ又はソケット８にフィルターなどの目詰まり防止材を設けてもよい。
また、上述の各実施例では、斜面縦方向をなす主脈排水路が主脈排水溝２、すなわち溝状の主脈排水路であるが、管状の主脈排水路であってもよい。溝状（主脈排水溝２）の場合、波付け鋼板からなるＵ字フリューム等の鋼製溝、プレキャストコンクリートのＵ字側溝等のコンクリート製溝、あるいは樹脂製溝を用いることもできる。管状の主脈排水路の場合、コルゲートパイプ等の鋼製鋼管、あるいは樹脂管やコンクリート管を用いることもできる。
側脈パイプには、コルゲートパイプ等の鋼製鋼管、あるいは樹脂管を用いることができる。
なお、上述した各実施例の図面における各部の寸法関係（サイズ、距離等の比例関係）は模式的なものであって、正確に表示したものではない。
【符号の説明】
【００５０】
１  斜面地盤
１ａ  斜面（地表面）
２  主脈排水溝（主脈排水路）
２ａ  半円形切欠き部
３、２３  側脈パイプ
３ａ、２３ａ  接続孔
３ｂ、２３ｂ  （ソケットを取り付ける）孔
２３ｃ  フランジ
２３Ａ  地面側半体
２３Ｂ  外側半体
４  集水パイプ
４ａ  集水孔
５  固定手段
６  支圧板
６ａ  中心孔
７  凹所
８  ソケット（短尺管）
８ａ  表面水集水口
１１  （間伐材等の）棒状部材
１２  杭
２４  ワッシャ
２５  ナット
ｓ  （施工後の）堆積土砂
【図１】
0005950629.tif 000002
【図２】
0005950629.tif 000003
【図３】
0005950629.tif 000004
【図４】
0005950629.tif 000005
【図５】
0005950629.tif 000006
【図６】
0005950629.tif 000007
【図７】
0005950629.tif 000008
【図８】
0005950629.tif 000009